(57)【要約】      （修正有）【課題】１つのＩＣチップに複数の通知情報を搭載しながら、利用者が、自らが利用したい情報を容易に選択することが可能なＩＣ媒体を提供する。【解決手段】非接触ＩＣ媒体にセンサ部を搭載し、変位情報と通知情報とを対応付けて記憶させておき、外部から加えられた動きに応じてセンサ部から出力される変位情報に基いて、対応付けられて記憶されている通知情報を読出すことで、記憶している複数の通知情報の中からユーザが読み出したい通知情報を読み出すことが可能な非接触ＩＣ媒体。【選択図】図１
2011150622.tif 000002
【特許請求の範囲】
【請求項１】
非接触ＩＣ媒体と、該非接触ＩＣ媒体と通信をするリーダライタ装置とを具備する非接触ＩＣ媒体システムであって、
該ＩＣ媒体は、変位情報と通知情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されている通知情報を該記憶部から読み出し、該リーダライタ装置へ送信する制御部と、
を有することを特徴とする非接触ＩＣ媒体システム。
【請求項２】
非接触ＩＣ媒体と、該非接触ＩＣ媒体と通信をするリーダライタ装置と、該リーダライタ装置と接続されたサーバ装置とを具備する非接触ＩＣ媒体システムであって、
該ＩＣ媒体は、変位情報とＩＤ情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されているＩＤ情報を該記憶部から読出し、該リーダライタ装置へ送信する制御部と、を備え、
該サーバ装置は、ＩＤ情報と通知情報とを対応付けて記憶するサーバ記憶部と、該リーダライタ装置からの問い合わせに応じて、該ＩＣ媒体から送信されたＩＤ情報に対応する通知情報を記憶部から読出し、該リーダライタ装置へ送信するサーバ制御部とを備えることを特徴とする非接触ＩＣ媒体システム。
【請求項３】
前記非接触ＩＣ媒体は、前記リーダライタ装置が発生する電磁波から電力を生成して供給する電力供給部と、該電力供給部から供給される電力を蓄える蓄電部と、該電力供給部と該蓄電部とに接続され、該電力供給部と該蓄電部とから当該非接触ＩＣ媒体内に電力を供給させる電源制御部とを備え、
該電源制御部は、該非接触ＩＣ媒体と該リーダライタ装置とが通信を行っている最中に該電力供給部が供給する電力が予め定められた値以下になると該蓄電部から電力を供給させることを特徴とする請求項１又は２に記載の非接触ＩＣ媒体システム。
【請求項４】
前記制御部は、前記非接触ＩＣ媒体と前記リーダライタ装置とが通信を開始すると、前記変位情報を、初期状態を示す値に変更することを特徴とする請求項１乃至３のいずれか１項に記載の非接触ＩＣ媒体システム。
【請求項５】
非接触ＩＣ媒体と、該非接触ＩＣカードと通信をするリーダライタ装置とを具備する非接触ＩＣ媒体システムにおける非接触ＩＣ媒体であって、
変位情報と通知情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されている通知情報を該記憶部から読み出し、該リーダライタ装置へ送信する制御部と、
を備えることを特徴とする非接触ＩＣ媒体。
【発明の詳細な説明】
【技術分野】
【０００１】
本発明は、非接触ＩＣ媒体に関するものである。
【背景技術】
【０００２】
近年、在庫管理、流通管理、トレーサビリティ等の目的で、幅広い分野でＩＣ媒体を利用することが増えている。また、ＩＣ媒体を単に読み取るだけでなく、例えば、データベース及びディスプレイを備え、読取装置にＩＣ媒体をかざすとＩＣ媒体が装着された商品の説明が表示されるシステム等も利用されている。ＩＣ媒体はＩＣチップに全ての情報を記憶している場合も有るが、ＩＤ、商品コードの様な番号情報のみを記憶しておき、読み取り装置若しくはそれに接続されたサーバ等に記憶しているデータベースと紐づけ、対応する情報を読み出すこともある。このようなＩＣ媒体の普及に伴い、その機能も向上し、記憶容量が大きなもの、書き換え可能なもの等が増えてきている。
【先行技術文献】
【特許文献】
【０００３】
【特許文献１】特開２００３−０８４６６９
【発明の概要】
【発明が解決しようとする課題】
【０００４】
しかしながら、記憶容量の小さなＩＣチップを用いているＩＣタグ等の場合には、基本的に１つのＩＣチップに１つの番号情報を記憶している。よって、複数の情報が必要な場合、例えば、複数の商品の情報を知りたい場合や、若しくは、同一の商品に関してであっても、価格、生産地、工程等の観点の異なる複数の情報を知りたい場合、複数のタグを付帯させておくか、データベースに複数の情報を続けて入れておく必要が有り、取り扱いや内容変更の際に大変不便であった。
【０００５】
本発明は、上記問題を解決するためになされたものであり、その課題とするところは、１つのＩＣチップに複数の番号情報を搭載しながら、利用者が、自らが利用したい情報を容易に選択することが可能なＩＣ媒体を提供することにある。
【課題を解決するための手段】
【０００６】
上述した課題を解決するために、本発明は、非接触ＩＣ媒体と、該非接触ＩＣ媒体と通信をするリーダライタ装置とを具備する非接触ＩＣ媒体システムであって、該ＩＣ媒体は、変位情報と通知情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されている通知情報を該記憶部から読み出し、該リーダライタ装置へ送信する制御部と、を有することを特徴とする非接触ＩＣ媒体システムとしたものである。
【０００７】
また本発明は、非接触ＩＣ媒体と、該非接触ＩＣ媒体と通信をするリーダライタ装置と、該リーダライタ装置と接続されたサーバ装置とを具備する非接触ＩＣ媒体システムであって、該ＩＣ媒体は、変位情報とＩＤ情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されているＩＤ情報を該記憶部から読出し、該リーダライタ装置へ送信する制御部と、を備え、該サーバ装置は、ＩＤ情報と通知情報とを対応付けて記憶するサーバ記憶部と、該リーダライタ装置からの問い合わせに応じて、該ＩＣ媒体から送信されたＩＤ情報に対応する通知情報を記憶部から読出し、該リーダライタ装置へ送信するサーバ制御部とを備えることを特徴とする非接触ＩＣ媒体システムとしたものである。
【０００８】
また本発明は、前記非接触ＩＣ媒体は、前記リーダライタ装置が発生する電磁波から電力を生成して供給する電力供給部と、該電力供給部から供給される電力を蓄える蓄電部と、該電力供給部と該蓄電部とに接続され、該電力供給部と該蓄電部とから当該非接触ＩＣ媒体内に電力を供給させる電源制御部とを備え、該電源制御部は、該非接触ＩＣ媒体と該リーダライタ装置とが通信を行っている最中に該電力供給部が供給する電力が予め定められた値以下になると該蓄電部から電力を供給させることを特徴とする前記非接触ＩＣ媒体システムとしたものである。
【０００９】
また本発明は、前記制御部は、前記非接触ＩＣ媒体と前記リーダライタ装置とが通信を開始すると、前記変位情報を、初期状態を示す値に変更することを特徴とする前記非接触ＩＣ媒体システムとしたものである。
【００１０】
また本発明は、非接触ＩＣ媒体と、該非接触ＩＣカードと通信をするリーダライタ装置とを具備する非接触ＩＣ媒体システムにおける非接触ＩＣ媒体であって、変位情報と通知情報とを対応付けて記憶する記憶部と、外部から加えられた動きに応じて変位情報を出力するセンサ部と、該センサ部が出力する変位情報が該記憶部に記憶されている変位情報と一致する場合に、該変位情報に対応付けて記憶されている通知情報を該記憶部から読み出し、該リーダライタ装置へ送信する制御部と、を備えることを特徴とする非接触ＩＣ媒体としたものである。
【発明の効果】
【００１１】
本発明は、以上説明したような構成であるから、以下に示す如き効果がある。
【００１２】
即ち、１つのチップに複数の情報を搭載しながら、利用者が、自らが利用したい情報を容易に選択することが可能な非接触ＩＣ媒体を提供することが可能となる。
【図面の簡単な説明】
【００１３】
【図１】本発明における非接触ＩＣ媒体の構成を示す概略ブロック図である。
【図２】本発明における非接触ＩＣ媒体システムのフロー図である。
【図３】本発明における変位情報を説明するための図である。
【図４】本発明における非接触ＩＣ媒体システムの構成を示す概略ブロック図である。
【発明を実施するための形態】
【００１４】
以下、本発明における非接触ＩＣ媒体システム及びこれに用いられる非接触ＩＣ媒体を、図面を参照して説明する。
【００１５】
図１は、本発明における非接触ＩＣ媒体の構成を示す概略ブロック図である。なお、本実施形態では、非接触ＩＣ媒体には、該非接触ＩＣ媒体が装着される商品についての、商品価格、商品情報、生産地情報の３つの通知情報が記憶されている場合について説明する。
当然ながら、本発明において非接触ＩＣ媒体に記憶される通知情報は、これらの情報に限られるものではなく、複数の情報が記憶されている非接触ＩＣ媒体であれば良い。例えば、ＩＣ媒体がゲームに用いられる場合には、複数のキャラクター情報、アイテム情報等が記憶されていても良い。
【００１６】
非接触ＩＣ媒体は、図１に示すように、アンテナと、電力供給部と、蓄電部と、電力制御部と、通信部と、ＥＥＰＲＯＭと、ＲＡＭと、ＲＯＭと、センサ部と、ＣＰＵとを備えている。
通信部と、ＥＥＰＲＯＭと、ＲＡＭと、ＲＯＭと、センサ部と、ＣＰＵとは、バスを介して互いに接続されている。
【００１７】
アンテナは、リーダライタ装置が発生する電磁波を受信し、受信した電磁波から生じる信号を電力供給部と通信部とに出力する。また、アンテナは、通信部から受信した信号を、リーダライタ装置に対して送信する機能も有している。
電力供給部は、アンテナから入力された信号を整流化し、安定させて得られた電力を蓄電部と電力制御部とに出力する。
蓄電部は、電力供給部から出力された電力を一時的に蓄える。蓄電部は、例えば、コンデンサや、薄型の二次電池などで構成されている。
【００１８】
電力制御部は、通信部と、ＥＥＰＲＯＭと、ＲＡＭと、ＲＯＭと、センサ部と、ＣＰＵとに、それぞれが動作に電力が必要な場合に、電力供給部から出力される電力を送信する。また、電力制御部は、電力供給部が出力する電力が予め定めた閾値より小さくなると、蓄電部に蓄えられている電力を、上述した各部に提供する。
これは、詳しくは後述するが、本発明における非接触ＩＣ媒体システムが、変位情報と対応付けた情報を読み出すシステムであるため、非接触ＩＣ媒体を回転させる等の動作が必要になる場合もあり、そのような場合に、リーダライタ装置と非接触ＩＣ媒体のアンテナの向き等の関係から、アンテナから電力供給部に出力される電力が著しく低下してしまい、通信が途中で途切れてしまう可能性がある故である。
そこで、このように閾値を設定することにより、電力供給部の出力が変動して、電力不足により非接触ＩＣ媒体の動作が停止することを防ぐことが可能となる。
また、電力制御部は、電力供給部が出力する電力が該閾値より大きくなった場合には、再度電力供給部から電力を供給させるようにすると良い。
【００１９】
通信部は、アンテナを介してリーダライタ装置から信号を受信し、ＣＰＵに出力すると共に、ＣＰＵからの信号を、アンテナを介してリーダライタ装置に送信する。
ＥＥＰＲＯＭは、電力が供給されていない状態であっても、データを保持することが可能な不揮発性メモリであり、複数の通知情報、ここでは該非接触ＩＣ媒体が装着される商品についての、商品価格、商品情報、生産地情報の３つの通知情報が、各々異なる変位情報と対応付けて記憶されている。
【００２０】
ＲＡＭには、一時的にデータが保存される。一時的に保存されるデータとしては、センサ部から出力される変位情報が含まれる。変位情報を、揮発性メモリであるＲＡＭに記憶することにより、新たに非接触ＩＣ媒体とリーダライタ装置との通信を開始させる際に変位情報を、初期状態を示す値に設定することが可能となる。
ＲＯＭには、非接触ＩＣ媒体をＣＰＵが制御する為のプログラム、例えば、オペレーティングシステム、利用用途毎のアプリケーションプログラム等が記憶されている。
【００２１】
センサ部は、非接触ＩＣ媒体が動かされた量を検出し、検出した移動量を示す変位情報をＣＰＵに出力する。ここで、線サブは、例えば、加速度センサ、地磁気センサ、ジャイロスコープ等で構成される。いずれのセンサの場合においても、互いに直行する３軸方向への移動又は加速度を検出するように構成される。また、加速度センサ、地磁気センサ、ジャイロスコープを組み合わせて、動作パターンの検出精度を向上させることも可能である。また、３軸方向の場合に比べて精度は低下するが、２軸方向への移動又は加速度を検出する加速度センサ、地磁気センサ、ジャイロスコープ等により構成しても良い。
【００２２】
ＣＰＵ（制御部）は、例えば、マイクロプロセッサ等を含み構成され、ＥＥＰＲＯＭと、ＲＡＭと、ＲＯＭと、センサ部と、情報の入出力を行う。また、ＣＰＵは、電力制御部から電力が供給されると、ＲＯＭからプログラムを読出し、それを実行して非接触ＩＣ媒体とリーダライタ装置との間で行われる通信及び処理の制御を行う。
そしてＣＰＵは、センサ部が出力する変位情報に応じて、ＥＥＰＲＯＭに記憶されているいずれかの通知情報をリーダライタ装置へ送信するかを選択判断する。このときのＣＰＵの制御の流れの一例を、図２にフロー図として示した。
【００２３】
扱う変位情報としては、いくつかのパターンが考えられるが、図３を用いて具体的に説明する。
【００２４】
１つ目としては、非接触ＩＣ媒体がリーダライタ装置にかざされた際に、どの方向を向いているかを示す変位情報を用いて、提供する通知情報を選択する場合が挙げられる。この場合、事前にｘ方向、ｙ方向、ｚ方向が定義されているジャイロスコープを用いることで、非接触ＩＣ媒体の座標（ｘ、ｙ、ｚ）のそれぞれがマイナスであるか、０であるか、プラスであるかという変位情報を得ることが可能であり、これにより非接触ＩＣ媒体の向きを知ることが可能である。
【００２５】
具体的には、非接触ＩＣ媒体のｘ軸及びｙ軸方向は水平方向であり、ｚ軸が垂直プラス方向に向いている状態（図３（ａ）に示す状態）では、（０、０、＋）、ｘ軸及びｙ軸方向は水平方向であり、ｚ軸が垂直マイナス方向に向いている状態、つまり先ほどの状態から非接触ＩＣ媒体を裏返した状態（図３（ｂ）に示す状態）では、（０、０、−）という変位情報が得られる。よって、これらの変位情報と複数の通知情報とを対応付けて記憶させておくことにより、非接触ＩＣ媒体が、どの方向を向いてリーダライタ装置にかざされたか、によって、異なる通知状法を読み出すことが可能となる。
【００２６】
２つ目としては、非接触ＩＣ媒体が最初にリーダライタ装置にかざされた際に変位情報を、初期状態を示す変位情報、例えば、上述したところの座標（０、０、＋）等にリセットし、その後再度非接触ＩＣ媒体と通信した際の変位情報を用いて、提供する通知情報を選択する場合が挙げられる。この場合、利用者に非接触ＩＣ媒体の状態を変化させることを映像、音声等により要求し、次にリーダライタ装置と非接触ＩＣ媒体とが通信を行った際の非接触ＩＣ媒体の座標として得られる変位情報によって、対応する通知情報を読み出すように設定することができる。具体的には、非接触ＩＣ媒体を、最初にリーダライタ装置にかざした状態から裏返しにした場合には、（０、０、−）の変位情報が、９０°真右に回転させた状態（図３（ｃ）に示す状態）では、（−、０、０）の変位情報が得られ、これらに対応する通知情報を読み出すことが可能となる。
【００２７】
また、初期状態を示す変位情報に対応する通知情報を設定しておくことで、非接触ＩＣ媒体がリーダライタ装置にかざされると最初に必ず同じ情報が読み出されるように設定したい場合等に有効であり、さらにまた、利用者に非接触ＩＣ媒体の状態を変化させるように要求する情報や、非接触ＩＣ媒体をどの方向に向けるとどのような通知情報が得られるか、といった案内等をこの初期状態の通知情報として記憶しておくことも可能である。
【００２８】
３つ目としては、非接触ＩＣ媒体が最初にリーダライタ装置にかざされた状態から、どのような動きが加えられたか、という動作の経緯を示す変位情報を用いる場合が挙げられる。この場合、非接触ＩＣ媒体が最初にリーダライタ装置にかざされた際に変位情報は、初期状態を示す変位情報にリセットされるように設定しておいても良い。
【００２９】
ここでは、最初にリーダライタ装置に非接触ＩＣ媒体がかざされた状態、若しくは、初期状態を示す変位情報が、（０、０、＋）である状態、つまり図３（ａ）に示した状態から、図３（ｂ）に示すように変位情報が（０、０、−）である状態に回転させる動きを例にして説明する。図３（ａ）から図３（ｂ）に非接触ＩＣ媒体の状態を変化させるためには、非接触ＩＣ媒体を回転させれば良いが、この場合、右方向に１８０°回転させる場合、左方向に１８０°回転させる場合、上方向に１８０°回転させる場合、下方向に回転させる場合等が想定される。これらの動きを区別して認識し、それぞれに異なる通知状法を対応させたい場合に、この３つ目の方法を用いることが可能である。
【００３０】
まず、右方向に１８０°回転させる場合については、ｙ座標には特に変化はなく、ｚ座標は＋から−に順次変化し、ｘ座標は０から一度−を経て再び０に戻るという経過をたどる。左方向に１８０°回転させる場合は、ｙ座標とｚ座標については右方向に回転させる場合と同様だが、ｘ座標については、０から一度＋を経て再び０に戻る。また、上方向に１８０°回転させる場合は、ｘ座標には特に変化はなく、ｚ座標は＋から−に順次変化し、ｙ座標は、０から一度−を経て再び０に戻る。下方向に１８０°回転させる場合には、ｘ座標、ｚ座標については上方向に回転させる場合と同様だが、ｙ座標は、０から一度＋を経て再び０に戻る。よって、この座標の変化を見ることで、非接触ＩＣ媒体が、どちらの向きに回転する動きを加えられたのかを判断することが可能となる。
【００３１】
また、４つ目としては、（ｘ、ｙ、ｚ）座標を、０、＋、−ではなく、その具体的な値を用いて判断するという方法が挙げられる。ジャイロスコープを用いると、（ｘ、ｙ、ｚ）座標を、時間軸を横にとった曲線グラフとして得ることが可能である。
【００３２】
例えば、一番平均的で想定される動作を行った際の曲線グラフ、又は何度か動作をして得られた曲線グラフの平均を用いても良いが、この曲線グラフを動作毎に記憶しておき、動作の速さの違いや、座標のブレ等、どこまでを許容範囲とするかという一定の閾値を設けておき、実際に非接触ＩＣ媒体に動きが加えられた際に、得られた非接触ＩＣ媒体の曲線グラフからなる変位情報が、記憶されている変位情報のいずれかと一致するかで、どの通知情報を読み出すかを判断することが可能である。この方法を用いることで、多様な動きに対して通知情報を対応させることが出来、セキュリティ性若しくはゲーム性等の大幅な向上に貢献できる。ただし、この場合判断のフローや情報の容量が大きくなるため、記憶容量の大きな、また演算能力の優れたＩＣチップを搭載した非接触ＩＣ媒体であることが必要である。
【００３３】
また、ＥＥＰＲＯＭには、通知情報が異なる変位情報と対応付けて記憶されているが、変位情報は、上述した個々の変位情報の組み合わせであってもよく、それらの変位情報の順序についても、通知情報の選択に影響を与えることとしても良い。
このように、１つの通知情報と対応付けて複数の変位情報の組合せを記憶しておく場合には、予め一定の回数の動作パターンを行った時点で、通知情報を選択するか、一定の時間内に行われた動作パターンの組合せから通知情報を選択するようにすると良い。
ＣＰＵは、センサ部が出力する変位情報に基いて、非接触ＩＣ媒体に対して加えられている動きが、記憶されている変位情報のいずれに該当するかを判断し、この変位情報を、ＲＡＭに順次記憶させていく。
例えば、利用者が非接触ＩＣ媒体に、「上方向に半回転」→「右方向に半回転」→「下方向に半回転」→「左方向に半回転」の順に動きを加えた場合、ＣＰＵは、それぞれの動きを示す変位情報、若しくは各変位情報に振られた整理番号等の情報を、順次ＲＡＭに記憶していく。
【００３４】
そしてＣＰＵは、ＲＡＭに記憶させておいた、変位情報若しくは変位情報の組み合わせを示す情報が、ＥＥＰＲＯＭに通知情報と対応付けて記憶されているかを判断し、該当する通知情報があれば、これをリーダライタ装置へ送信する。
また、記憶している変位情報と一致しない場合には、リーダライタ装置へエラー情報を送信する。この際、非接触ＩＣ媒体の変位情報を、初期状態を示す値に変更する等すると良い。
【００３５】
リーダライタ装置は、非接触ＩＣ媒体から通知情報を受信すると、図示しないが、この通知情報を利用して、例えば、表示画面に表示する、音声として通知を行う等して、利用者に通知する。また、非接触ＩＣ媒体からエラー情報を受信すると、利用者に対して動作がエラーである旨を通知する。
【００３６】
本発明における非接触ＩＣ媒体システムは、上述のように、非接触ＩＣ媒体に加えられる動きにより、ＥＥＰＲＯＭに記憶しているどの通知情報を送信するかを判断するようにしたので、利用者は容易に複数の通知情報を得ることが可能となる。
また、この非接触ＩＣ媒体を、例えばゲーム等に用いる場合には、数種類の動きの組合せと、キャラクター情報、アイテム情報とを対応付けて記憶させておくことで、利用者が色々な動きを試して、キャラクターやアイテムを探し出すことができるようなゲーム性を付与することも可能である。
【００３７】
図４は、本発明における非接触ＩＣ媒体システムの別の実施形態例を示した概要図である。
この実施形態例においては、リーダライタ装置と非接触ＩＣ媒体が非接触で通信可能な状態となっており、リーダライタ装置にサーバ装置が接続された構造となっている。なお、リーダライタ装置とサーバ装置については、データの通信が可能な状態であれば、接続の方法については特に限定しない。また、サーバ装置は、リーダライタ装置の外に設けられていても良いし、リーダライタ装置と一体に設けられていても良いものとする。
【００３８】
サーバ装置は、少なくともサーバ制御部と、サーバ記憶部とを有しており、サーバ記憶部には、ＩＤ情報と通知情報とが、対応付けて記憶されている。
【００３９】
非接触ＩＣ媒体の構成については図示していないが、前述した実施形態例と同様、アンテナと、電力供給部と、蓄電部と、電力制御部と、通信部と、ＥＥＰＲＯＭと、ＲＡＭと、ＲＯＭと、センサ部と、ＣＰＵとを備えた構成である。ただし、ＥＥＰＲＯＭに記憶されている情報は、変位情報と、ＩＤ情報とが対応付けられて記憶されていることとする。
【００４０】
非接触ＩＣ媒体のＣＰＵは、前述した実施形態例と同様の方法にて、センサ部から出力される変位情報に基いて、これに対応してＥＥＰＲＯＭに記憶されているＩＤ情報を選択し、リーダライタ装置へ送信する。
【００４１】
リーダライタ装置は、非接触ＩＣ媒体からＩＤ情報を受信すると、このＩＤ情報をサーバ装置へ送信し、通知情報を要求する。サーバ装置のサーバ制御部は、リーダライタ装置からＩＤ情報を受信すると、サーバ記憶部から、このＩＤ情報に対応付けて記憶されている通知情報を選択し、リーダライタ装置に送信する。また、ＩＤ情報に対応付けられた通知情報が存在しない場合には、リーダライタ装置にエラー情報を送信する。
【００４２】
リーダライタ装置は、サーバ装置から通知情報を受信すると、図示しないが、この通知情報を利用して、例えば、表示画面に表示する、音声として通知を行う等して、利用者に通知する。また、サーバ装置からエラー情報を受信すると、利用者に対して動作がエラーである旨を通知する。
【００４３】
本実施形態を用いると、非接触ＩＣ媒体は、通知情報に比較してデータ容量の小さなＩＤ情報と変位情報とを対応付けて記憶するだけで良いため、例えばＩＣタグ等のように、記憶容量のそれ程大きくないＩＣチップを搭載した非接触ＩＣ媒体であっても、多くの通知情報を通知可能なシステムとすることが可能となる。
【００４４】
また、非接触ＩＣ媒体自体は、変位情報、通知情報を記憶せずに、変位情報をリーダライタ装置に対して発信するのみとし、リーダライタ装置若しくはこれに接続されたサーバ装置にて、変位情報と通知情報とを対応付けて記憶しておき、非接触ＩＣ媒体から変位情報を受信すると、対応する通知情報を読み出してユーザに通知するフローとしても良く、本発明の趣旨を満たすのであれば、本発明における非接触ＩＣ媒体システムは、上述した実施形態例に限定されるものではない。
【図１】
2011150622.tif 000003
【図２】
2011150622.tif 000004
【図３】
2011150622.tif 000005
【図４】
2011150622.tif 000006